(57)【要約】 【課題】  デュアルディスプレイの機能を有し、シングルディスプレイのＦＰＤ装置が用いるピン、またはスキャンドライバを増やす必要のないＦＰＤ装置を提供する。【解決手段】  本発明は、  デュアルディスプレイ機能を有し、第一画素アレイと第二画素アレイによって構成される画素アレイ、前記画素アレイを順次にスキャンする少なくとも一つのスキャンドライバを備えるフラットディスプレイ装置において、スキャンドライバに電気的接続されているとともに、第一状態で第一レベルを有し、且つ、第二状態で第二レベルを有する制御信号を受け、前記制御信号の前記第一レベルに応じて前記第一画素アレイを駆動し、且つ、前記制御信号の前記第二レベルに応じて前記第二画素アレイを駆動するマルチプレクサを含むものとした。【選択図】      図１  
2005346075.tif 000002
【特許請求の範囲】
【請求項１】
デュアルディスプレイ機能を有し、第一画素アレイと第二画素アレイによって構成される画素アレイ、前記画素アレイを順次にスキャンする少なくとも一つのスキャンドライバを備えるフラットディスプレイ装置において、
前記スキャンドライバに電気的接続されているとともに、第一状態で第一レベルを有し、且つ、第二状態で第二レベルを有する制御信号を受け、前記制御信号の前記第一レベルに応じて前記第一画素アレイを駆動し、且つ、前記制御信号の前記第二レベルに応じて前記第二画素アレイを駆動するマルチプレクサを含むことを特徴とするフラットディスプレイ装置。
【請求項２】
前記制御信号の前記第一レベルと前記第二レベルは、交互に変換する請求項１に記載のフラットディスプレイ装置。
【請求項３】
前記マルチプレクサは、前記第一画素アレイの一つの画素列に電気的に接続される第一トランジスタと、前記第二画素アレイの一つの画素列に電気的に接続される第二トランジスタとを含む請求項１に記載のフラットディスプレイ装置。
【請求項４】
前記第一トランジスタと前記第二トランジスタは、それぞれＰＭＯＳトランジスタとＮＭＯＳトランジスタである請求項３に記載のフラットディスプレイ装置。
【請求項５】
前記第一画素アレイと前記第二画素アレイは、実質上相反する表示方向を有する請求項１に記載のフラットディスプレイ装置。
【請求項６】
デュアルディスプレイ機能を有し、第一画素アレイと第二画素アレイによって構成される画素アレイ、前記画素アレイを順次にスキャンする少なくとも一つのスキャンドライバを備えるフラットディスプレイ装置の駆動方法において、
第一状態で第一レベルを有し、且つ、第二状態で第二レベルを有する制御信号を受けるステップ、
前記制御信号の前記第一レベルに応じて前記第一画素アレイを駆動するステップ、および
前記制御信号の前記第二レベルに応じて前記第二画素アレイを駆動するステップを含むことを特徴とするフラットディスプレイ装置の駆動方法。
【請求項７】
前記制御信号の前記第一レベルに応じて前記第一画素アレイを駆動するステップは、前記制御信号の前記第一レベルに応じて第一トランジスタをオンにするステップ、および、スキャン信号を受け、前記第一画素アレイを駆動するステップを含む請求項６に記載のフラットディスプレイ装置の駆動方法。
【請求項８】
前記制御信号の前記第二レベルに応じて前記第二画素アレイを駆動するステップは、前記制御信号の前記第二レベルに応じて第二トランジスタをオンにするステップ、および、スキャン信号を受け、前記第二画素アレイを駆動するステップを含む請求項６に記載のフラットディスプレイ装置の駆動方法。
【請求項９】
デュアルディスプレイ機能を有し、第一画素アレイと第二画素アレイによって構成される画素アレイ、前記画素アレイを順次にスキャンする少なくとも一つのスキャンドライバを備えるフラットディスプレイ装置を制御するためのマルチプレクサにおいて、
少なくとも一つのスキャンドライバに電気的に接続され、
前記第一画素アレイの画素列に電気的に接続された第一トランジスタ、および
第二画素アレイの画素列に電気的に接続された第二トランジスタを含むことを特徴とするマルチプレクサ。
【請求項１０】
前記第一トランジスタと前記第二トランジスタは、それぞれＰＭＯＳトランジスタとＮＭＯＳトランジスタである請求項９に記載のマルチプレクサ。
【発明の詳細な説明】
【技術分野】
【０００１】
本発明は、フラットパネルディスプレイ装置に関し、特に、デュアルディスプレイ機能を有するフラットパネルディスプレイ装置の回路と制御方法に関するものである。
【背景技術】
【０００２】
例えば、液晶ディスプレイ装置、電子発光装置などのフラットパネルディスプレイ（場合によりＦＰＤと略す）装置は、一般的にスキャンドライバとデータドライバを有し、それぞれスキャンラインとデータラインを通してパネルを駆動する。各スキャンラインは、スキャンドライバの一つのピンをパネルの一画素に接続される。よって、スキャンラインの数は、スキャンドライバのピンの数と等しい。同様に、各データラインは、データドライバの一つのピンをパネルの一画素に接続される。よって、データラインの数は、データドライバのピンの数と等しい。
【０００３】
従来のＦＰＤ装置では、デュアルディスプレイまたはダブルディスプレイのディスプレイパネルを有するものがあり、両者は、メインパネルとサブパネルを含むことができる。一般的に、メインパネルは、電子製品の主なディスプレイ機能を表示するように用いられ、サブパネルは、例えば、ナンバーディスプレイ、または時間などのサブ機能を表示する。メインパネルとサブパネルは、互いに独立し、且つ、各自の駆動回路を有する。よって、デュアルディスプレイ或いはダブルディスプレイのＦＰＤ装置のスキャンライン数は、シングルディスプレイのＦＰＤ装置におけるスキャンライン数の二倍となる。１２８×１６０の解像度を例にすると、シングルディスプレイのＦＰＤ装置は、１６０のスキャンラインを有し、それぞれ一つのスキャンドライバの１６０個のピンに電気的接続される。一方、デュアルディスプレイ或いはダブルディスプレイのＦＰＤ装置は、３２０のスキャンラインを有し、二つのスキャンドライバに電気的に接続されるか、またはそれぞれ一つのスキャンドライバの３２０個のピンに電気的に接続されることになり、ＦＰＤ装置のサイズを大きくさせる。
【特許文献１】米国特許出願公開第２００４／００７５６２８号明細書
【発明の開示】
【発明が解決しようとする課題】
【０００４】
よって、デュアルディスプレイの機能を有するＦＰＤ装置においては、シングルディスプレイのＦＰＤ装置が用いるピン、またはスキャンドライバを増やす必要のないＦＰＤ装置を提供することが望ましい。
【課題を解決するための手段】
【０００５】
上述の問題を解決するために、本発明は、デュアルディスプレイ機能を有し、画素アレイ、少なくとも一つのスキャンドライバとマルチプレクサを含むフラットディスプレイ装置を提供する。画素アレイは、第一画素アレイと第二画素アレイによって構成される。スキャンドライバは、画素アレイを順次にスキャンする。マルチプレクサは、スキャンドライバに電気的に接続され、且つ、制御信号を受ける。制御信号は、第一状態で第一レベルを有し、且つ、第二状態で第二レベルを有する。マルチプレクサは、制御信号の第一レベルに応じて第一画素アレイを駆動し、且つ、制御信号の第二レベルに応じて第二画素アレイを駆動する。
【０００６】
また、本発明は、デュアルディスプレイ機能を有するフラットディスプレイ装置を制御するマルチプレクサを提供する。本発明のフラットディスプレイ装置は、第一画素アレイと第二画素アレイによって構成された画素アレイと、マルチプレクサに電気接続された少なくとも一つのスキャンドライバを含む。マルチプレクサは、第一トランジスタと第二トランジスタを含む。第一トランジスタは、第一画素アレイの画素列に電気的に接続され、第二トランジスタは、第二画素アレイの画素列に電気的に接続される。
【０００７】
本発明は、デュアルディスプレイ機能を有するＦＰＤ装置の駆動方法を更に提供する。本発明のＦＰＤ装置は、デュアルディスプレイ機能を有し、且つ、第一画素アレイと第二画素アレイによって構成された画素アレイを有する。本発明の駆動方法は、第一状態で第一レベルを有し、且つ、第二状態で第二レベルを有する制御信号をマルチプレクサが受け、このマルチプレクサが制御信号の第一レベルに応じて第一画素アレイを駆動し、制御信号の第二レベルに応じて第二画素アレイを駆動する。
【発明の効果】
【０００８】
本発明のフラットパネルディスプレイ装置、その駆動方法およびフラットパネルディスプレイ装置制御用のマルチプレクサによれば、デュアルディスプレイの機能を有するフラットパネルディスプレイ装置であっても、シングルディスプレイのＦＰＤ装置が用いるピン、またはスキャンドライバの数を増やす必要がないＦＰＤ装置を提供することができる。
【発明を実施するための最良の形態】
【０００９】
本発明についての目的、特徴、長所が一層明確に理解されるよう、以下に実施形態を例示し、図面を参照にしながら、詳細に説明する。
【実施例】
【００１０】
図１は、本発明の実施例のＦＰＤ装置１０の回路概略図を表している。ＦＰＤ装置１０は、デュアルディスプレイ機能を有し、スキャンドライバ１２、データドライバ１４、複数のマルチプレクサ１６と、画素アレイ１８を含む。スキャンドライバ１２は、複数のスキャンライン１２−１〜１２−Ｎを通して、複数のスキャン信号を提供し、順次に画素列を選択する。Ｎは、整数である。各スキャンラインは、スキャンドライバ１２の一つのピンに電気的接続される。データドライバ１４は、複数のデータライン１４−１〜１４−Ｍを通して、複数のデータ信号を選択された画素に提供する。Ｍは、整数である。デュアルディスプレイをサポートできるようにするために、画素アレイ１８は、第一画素アレイと第二画素アレイに分けられる。第一画素アレイは、奇数列の画素１−１〜１−Ｐ、…、（２Ｎ−１）−１〜（２Ｎ−１）−Ｐを含み、第一方向で画像を表示する。Ｐは、整数である。第二画素アレイは、偶数列の画素２−１〜２−Ｐ、…、（２Ｎ）−１〜（２Ｎ）−Ｐを含み、第二方向で画像を表示する。よって、本発明の実施例では、第一画素アレイは、奇数列の画素を含み、第二画素アレイは、偶数列の画素を含む。本発明の実施例では、同じスキャンラインの二つの隣接した列に電気的接続された複数の画素は、それぞれ第一画素アレイと第一画素アレイを含む。また、本発明の実施例では、第一方向と第二方向は、実質上相反する。
【００１１】
第一画素アレイの各画素、例えば、画素１−１は、サブピクセル１−１Ｒ、１−１Ｇ、１−１Ｂを含み、それぞれ赤色、緑色と、青色を表示する。よって、Ｐ値は、Ｍ値の３分の１である。本発明の実施例では、ＦＰＤ装置１０は、液晶ディスプレイ装置であり、且つ、各サブピクセルは、スイッチングトランジスタとして働く薄膜トランジスタと蓄積キャパシタを含む。もう一つの実施例では、ＦＰＤ装置１０は、有機電子発光装置であり、且つ、各サブピクセルは、スイッチングトランジスタとして働く薄膜トランジスタ、駆動トランジスタ、発光ダイオードと、蓄積キャパシタを含む。
【００１２】
各マルチプレクサ１６は、一つのスキャンラインに電気的接続する。マルチプレクサ１６’を例にすると、第一トランジスタ１６−１と第二トランジスタ１６−２を含む。第一トランジスタ１６−１は、例えば、金属酸化物半導体（ＮＭＯＳトランジスタ）であり、制御信号ＳＣを電気的に受けたゲート、スキャンライン１２−１に電気的接続された第一電極と、第二電極を有する。第一トランジスタ１６−１の第二電極は、コネクトライン１２−１１を通して第一画素アレイの一つの画素列のスイッチングトランジスタのゲートに電気的接続される。第二トランジスタ１６−２は、例えば、金属酸化物半導体（ＮＭＯＳトランジスタ）であり、制御信号ＳＣに電気的接続されたゲート、スキャンライン１２−１に電気的接続された第一電極と、第二電極を有する。第二トランジスタ１６−２の第二電極は、コネクトライン１２−１２を通して第二画素アレイの一つの画素列のスイッチングトランジスタのゲートに電気的接続される。データドライバ１４は、データライン１４−１〜１４−Ｍを通してデータ信号を一つの行のスイッチングトランジスタの電極にそれぞれ提供する。
【００１３】
図２は、本発明の実施例のＦＰＤ装置３０のデュアルディスプレイパネル３２の概略図を表している。デュアルディスプレイパネル３２は、画素１−１〜１−Ｐ、…、（２Ｎ−１）−１〜（２Ｎ−１）−Ｐで構成された第一画素アレイを含み、矢印３４で示された第一方向で画像を表示する。また、画素２−１〜２−Ｐ、…、（２Ｎ）−１〜（２Ｎ）−Ｐで構成された第二画素アレイは、矢印３４で示された第二方向で画像を表示する。
【００１４】
図３は、図１のＦＰＤ装置１０を駆動する方法のタイミング図を表している。例えば、電圧信号などの制御信号ＳＣは、第一状態（例えば、制御信号ＳＣが高電圧レベルにある）と、第二状態（例えば、制御信号ＳＣが低電圧レベルにある）を有する。本発明の実施例では、制御信号ＳＣが奇数フレームＦｏｄｄにある時、第一状態を維持し、且つ、偶数フレームＦｅｖｅｎにある時、第二状態を維持する。一つのフレームは、第一画素アレイまたは第二画素アレイの全ての列の画素が全てスキャンされるのに必要な期間のことであり、例えば、約１／６０または１６.６ミリ秒である。
【００１５】
制御信号ＳＣの第一状態に応じて、マルチプレクサ１６のＮＭＯＳトランジスタはオンになり、ＰＭＯＳトランジスタはオフになる。スキャンドライバ１２は、連続的にスキャン信号をスキャンライン１２−１〜１２−Ｎに提供し、且つ、続いてコネクトライン１２−１１〜１２−Ｎ１に提供し、列単位で順次に第一画素アレイの画素１−１〜１−Ｐ、…、（２Ｎ−１）−１〜（２Ｎ−１）−Ｐを選択する。ＦＰＤ装置１０は、第一方向で画像を表示する第一画素アレイを含む。制御信号ＳＣの第二状態に応じて、マルチプレクサ１６のＮＭＯＳトランジスタはオフになり、ＰＭＯＳトランジスタはオンになる。スキャンドライバ１２は、連続的にスキャン信号をスキャンライン１２−１〜１２−Ｎに提供し、且つ、続いてコネクトライン１２−１２〜１２−Ｎ２に提供し、列単位で順次に第二画素アレイの画素２−１〜２−Ｐ、…、（２Ｎ）−１〜（２Ｎ）−Ｐを選択する。ＦＰＤ装置１０は、第二方向で画像を表示する第二画素アレイを含む。
【００１６】
本発明の制御信号は、パネルから集積回路、マイクロコントローラユニット、プログラマブルロジックデバイスを駆動し、電圧レベルは、ジェネレータなどで提供することができ、用いられるシステムに応じて異なるものを有する。また、制御信号の第一状態と第二状態のレベルは、必要なシステムに応じて決めることができ、且つ、一定時間の周期内で、制御信号は、第一状態と第二状態の間で変換する。
【００１７】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００１８】
【図１】本発明の実施例に基づいたＦＰＤ装置の回路概略図を表している。
【図２】本発明の実施例に基づいたＦＰＤ装置のデュアルディスプレイパネルの概略図を表している。
【図３】図１のＦＰＤ装置を駆動する方法のタイミング図を表している。
【符号の説明】
【００１９】
１−１…（２Ｎ−１）−Ｐ  画素
１−１Ｒ、１−１Ｇ、１−１Ｂ  サブピクセル
１０、３０  ＦＰＤ装置
１２  スキャンドライバ
１２−１…１２−Ｎ  スキャンライン
１２−１１、１２−１２…１２−Ｎ１、１２−Ｎ２  コネクトライン
１４  データ駆動ドライバ
１４−１…１４−Ｍ  データライン
１６、１６’マルチプレクサ
１６−１  第一トランジスタ
１６−２  第一トランジスタ
１８  画素アレイ
３２  デュアルディスプレイパネル
３４、３６  矢印
【図１】
2005346075.tif 000003
【図２】
2005346075.tif 000004
【図３】
2005346075.tif 000005